(57)【要約】      （修正有）【課題】伝統的な囲碁用具のイメージに反することなく、視覚障害者が碁盤上における碁石を置くべき位置を認識することができ、また、碁盤上に置かれた碁石の位置を固定することができる、視覚障害者用囲碁用具を提供する。【解決手段】碁盤１０と碁石２０を備える囲碁用具において、碁盤１０の盤面では、縦横に設けられている多数の線が凸および／または凹の筋１１で形成されているとともに前記縦横の線の交点である目１２がホゾまたはホゾ穴となっており、碁石２０の裏面には、その中心に碁盤１０のホゾまたはホゾ穴と嵌め合わせ可能なホゾ穴またはホゾが形成されているとともに前記ホゾ穴またはホゾを中心として十字状に碁盤１０の筋と嵌め合わせ可能な十字状の凸および／または凹からなる筋１１が形成されていることを特徴とする。【選択図】図１
0003143550.tif 000002
【実用新案登録請求の範囲】
【請求項１】
碁盤と碁石を備える囲碁用具において、前記碁盤の盤面では、縦横に設けられている多数の線が凸および／または凹の筋で形成されているとともに前記縦横の線の交点である目がホゾまたはホゾ穴となっており、前記碁石の裏面には、その中心に前記碁盤のホゾまたはホゾ穴と嵌め合わせ可能なホゾ穴またはホゾが形成されているとともに前記ホゾ穴またはホゾを中心として十字状に前記碁盤の筋と嵌め合わせ可能な十字状の凸および／または凹からなる筋が形成されていることを特徴とする、視覚障害者用囲碁用具。
【請求項２】
前記碁石が前記十字状の筋を複数組備えている、請求項１に記載の視覚障害者用囲碁用具。
【請求項３】
前記盤面には、前記縦横の筋のほかに、前記目の１つである星を中心として放射状に伸びる凸および／または凹の筋も備えており、前記碁石裏面には、前記放射状に伸びる凸および／または凹の筋に嵌め合わせ可能な筋も形成されている、請求項１または２に記載の視覚障害者用囲碁用具。
【請求項４】
前記盤面には、星を通る縦横の線の延長上に、星の通る線の位置を示すための凸または凹からなる印が形成されている、請求項１から３までのいずれかに記載の視覚障害者用囲碁用具。
【請求項５】
前記印の凸または凹が星ごとに異なるものとなっている、請求項４に記載の視覚障害者用囲碁用具。
【請求項６】
前記碁盤と碁石に設けられるホゾまたはホゾ穴が階段状またはテーパ状となっている、請求項１から５までのいずれかに記載の視覚障害者用囲碁用具。
【請求項７】
前記盤面の縦横の筋が凸状、目がホゾ穴であり、前記碁石裏面には、前記目に対応するホゾと凸状の筋に対応する十字状で凹状の筋が形成されている、請求項１から６までのいずれかに記載の視覚障害者用囲碁用具。
【請求項８】
前記盤面の縦横の筋が凹状、目がホゾ穴であり、前記碁石裏面には、前記目に対応するホゾと凹状の筋に対応する十字状で凸状の筋が形成されているとともに、前記ホゾが前記盤面の筋よりも幅または高さの勝っているものである、請求項１から６までのいずれかに記載の視覚障害者用囲碁用具。
【考案の詳細な説明】
【技術分野】
【０００１】
本考案は、視覚障害者用囲碁用具に関する。詳しくは、視覚障害者が囲碁を楽しむ際の不自由さを解消した囲碁用具に関する。
【背景技術】
【０００２】
囲碁は、古くから多くの人に親しまれてきた伝統的なゲームの一つであるが、視覚障害者にとっては、非常に扱いにくいものであった。これは、囲碁が、将棋などのように駒の向きや大きさを触知できるものではなく、碁石の色のみの違いで対戦しなければならないものであり、かつ、盤面が大きいという特徴を有することによるものである。
そのため、従来、視覚障害者が囲碁を楽しむことができるように、様々な検討がなされてきた。特に、白石と黒石とが区別できること、盤上の碁石の配置を触知するときに碁石が動かないこと、碁石を置く位置が認識できること、の３点が重視されたものが多く知られている。
【０００３】
白石と黒石の区別は、例えば、白石か黒石のいずれかに凸を設けたり、同心円状の凹凸を設けたりすることが行われている。
碁石を置く位置の認識、碁石の配置の固定は、例えば、碁盤の各線の交点にホゾ穴を設けておいて、このホゾ穴に碁石に設けたホゾを差し込む方法が知られている。
【考案の開示】
【考案が解決しようとする課題】
【０００４】
しかしながら、碁盤上に設けたホゾ穴に碁石のホゾを差し込む方法では、碁石を充分に固定することができない。また、ホゾ穴の大きさが小さすぎるとホゾの差込みが困難となり、対局後に碁石を取り除く作業も困難となる。ホゾ穴の大きさが大きすぎると碁盤の線よりもホゾ穴のほうが目立ってしまって、特に晴眼者にとっては、古くから親しまれてきた伝統的なゲームである囲碁のイメージに合わなくなる。
そこで、本考案が解決しようとする課題は、伝統的な囲碁用具のイメージに反することなく、視覚障害者が碁盤上における碁石を置くべき位置を認識することができ、また、碁盤上に置かれた碁石の位置を固定することができる、視覚障害者用囲碁用具を提供することにある。
【課題を解決するための手段】
【０００５】
本考案者は、上記課題を解決するべく鋭意検討を行った。その結果、伝統的な碁盤のイメージを損なうことがないように、碁盤の線をそのまま立体形状で表すようにし、かつ、碁盤の線の交点にも立体形状を設けることにより、これらを、碁石を置くべき位置を把握するための手段および碁石の固定手段として利用すれば、盤上の碁石の配置を触知する際にも碁石が容易に動くことがなく、碁石を置く位置の把握にも格別の困難性を伴わないということを見出して、それを確認して、本考案を完成した。
すなわち、本考案にかかる囲碁用具は、碁盤と碁石を備える囲碁用具において、前記碁盤の盤面では、縦横に設けられている多数の線が凸および／または凹の筋で形成されているとともに前記縦横の線の交点である目がホゾまたはホゾ穴となっており、前記碁石の裏面には、その中心に前記碁盤のホゾまたはホゾ穴と嵌め合わせ可能なホゾ穴またはホゾが形成されているとともに前記ホゾ穴またはホゾを中心として十字状に前記碁盤の筋と嵌め合わせ可能な十字状の凸および／または凹からなる筋が形成されていることを特徴とする。
【考案の効果】
【０００６】
本考案によれば、前記碁盤の盤面では、縦横に設けられている多数の線が凸および／または凹の筋で形成されているので、伝統的な碁盤のイメージを損なうことなく線を触知できる。そして、前記縦横の筋と、さらに縦横の線の交点である目に設けたホゾまたはホゾ穴により、視覚障害者は、碁石を置くべき位置を容易に認識することができ、また、碁石の裏面には、その中心に前記碁盤のホゾまたはホゾ穴と嵌め合わせ可能なホゾ穴またはホゾが形成されているとともに前記ホゾ穴またはホゾを中心として十字状に前記碁盤の筋と嵌め合わせ可能な十字状の凸および／または凹からなる筋が形成されているので、碁石が碁盤上の適切な位置にしっかりと固定される。
【０００７】
前記碁石が、前記十字状の筋を複数組備える構成では、碁盤に碁石を置く際に、盤面の縦横の筋と、碁石に設けられた十字状の筋との向きが正確に一致するかを確認する手間が軽減され、また、向きが一致しない場合に碁石を回転させる手間も軽減される。
前記盤面に、前記縦横の筋のほかに、前記目の１つである星を中心として放射状に伸びる凸および／または凹の筋も備えていると、視覚障害者は触知により、晴眼者は視覚により、星の位置を把握することができるので、視覚障害者・晴眼者のいずれにとっても対局をスムーズに進行させることができる。このとき、碁石裏面に、前記放射状に伸びる凸および／または凹の筋に嵌め合わせ可能な筋も形成されているので、星の位置に碁石を置くことに支障はない。なお、碁石裏面に形成される前記筋として、上述のように十字状の筋を複数組備えさせることで対応すれば、碁盤に碁石を置く際に碁石の向きを確認したり碁石を回転させたりする手間が軽減されるという上述の効果を同時に得ることができる。
【０００８】
前記盤面において、星を通る縦横の線の延長上に、星の通る線の位置を示すための凸または凹からなる印が形成されていると、この印の位置から星の位置を把握することができる。特に、星を中心に放射状に伸びる上述の凸および／または凹の筋によって星の位置を把握する場合には、星の位置に碁石が置かれていると、前記放射状に伸びる筋が触知ないし視認できなくなって星の位置の把握もできなくなるが、星を通る縦横の線の延長上に、前記凸または凹からなる印が形成されていると、碁石が星の位置にあっても、星の位置の把握が可能である。
前記印の凸または凹が星ごとに異なるものとなっていれば、複数ある星のうちのどの星の位置を特定するための印であるかを容易に知ることができる。
【０００９】
前記碁盤と碁石に設けられるホゾまたはホゾ穴が階段状またはテーパ状となっていると、碁石を碁盤上に置くためにホゾとホゾ穴を嵌め合わせる際、ホゾ先端よりもホゾ穴の受け口の方が広くなっている分だけ余裕があり、斜め方向からでもスムーズに嵌め合わせることができる。
前記盤面の縦横の筋が凸状、目がホゾ穴であり、前記碁石裏面に、前記目に対応するホゾと凸状の筋に対応する十字状で凹状の筋が形成されている、という構成であると、盤面の目と目の間には縦横の筋が凸状に設けられており、碁石裏面には目に対応するホゾが設けられているので、碁石を碁盤上に置く際に、目と目の間に碁石が嵌まり込んでしまうことがなく、碁石は確実に目の位置に配置される。
【００１０】
前記盤面の縦横の筋が凹状の場合であっても、盤面の目がホゾ穴であり、前記碁石裏面には、前記目に対応するホゾと凹状の筋に対応する十字状で凸状の筋が形成されているとともに、前記ホゾが前記盤面の筋よりも幅または高さの勝っているものである、という構成であれば、碁石のホゾが盤面の目と目の間には収まらないので、目と目の間に碁石が嵌まり込んでしまうことがなく、碁石は確実に目の位置に配置される。
【考案を実施するための最良の形態】
【００１１】
以下、図面を参照しつつ、本考案にかかる囲碁用具について詳しく説明するが、本考案の範囲はこれらの説明に拘束されることはなく、以下の例示以外についても、本考案の趣旨を損なわない範囲で適宜変更実施し得る。
なお、以下では、碁盤の盤面の線と目および碁石裏面の形状が異なる第１〜第５の実施形態を例にあげて説明する。各実施形態に共通する事項は、重複を避けるため、実施形態毎の説明を一部省略している。
図１は、本考案の第１〜第５の実施形態にかかる囲碁用具の平面図である。図１の碁盤１０は一般に使用される１９路盤である。
【００１２】
１９路盤では、縦横に１９本の線が引かれ、碁盤の目となる線の交点に碁石が置かれる。碁盤の目は合計３６１個存在する。
本考案にかかる囲碁用具では、前記碁盤１０の線と目および碁石２０裏面の形状が通常の碁盤および碁石とは異なり、碁盤１０の縦横の線１１が凸および／または凹からなる筋により形成されており、碁盤の目１２がホゾまたはホゾ穴となっているとともに、碁石２０の裏面には、その中心に前記碁盤の目１２に嵌め合わせ可能なホゾ穴またはホゾが形成されているとともに前記ホゾ穴またはホゾを中心として十字状に前記碁盤の筋１１と嵌め合わせ可能な十字状の凸および／または凹からなる筋が形成されている。
【００１３】
第１〜第５の各実施形態における碁盤１０の線と目および碁石２０裏面の形状の詳細を以下に述べる。
碁石２０の基本形状は、図２に示すようであって、碁盤１０に置かれる面（すなわち、碁石２０の裏面）を、平らな形状にしたのち、この図では省略されているが、前記平らな裏面に、第１〜第５の実施形態に対応する所望の形状が施されている。このとき、図２に示すように、楕円状の断面の中心Ｏよりもやや下方で平面化することで、対局者が碁石を碁盤から容易に取ることができるように工夫されている。
図３〜７は、それぞれ、第１〜第５の実施形態に対応し、碁盤の目１２とそこに嵌め込まれる碁石２０とを示した拡大断面図である。
【００１４】
図３に示す第１の実施形態では、碁盤１０の縦横の筋１１が凸状の筋１１ａであり、碁盤の目１２がホゾ穴１２ａとなっている。一方、碁石２０裏面は前記碁盤１０の凸状の筋１１ａおよびホゾ穴１２ａに嵌め込めるように、その中心２１にホゾ２１ａが設けられてそこから十字状に凹状の筋２２ａが設けられている。
前記第１の実施形態では、碁盤１０のホゾ穴１２ａ、碁石２０裏面のホゾ２１ａが階段状となっている。これにより、碁石２０裏面のホゾ２１ａの先端の幅よりも、碁盤１０のホゾ穴１２ａの受け口の幅のほうが広くなるので、碁石２０裏面のホゾ２１ａがスムーズに碁盤１０のホゾ穴１２ａへと嵌め込まれるようになっている。階段状に代えてテーパ状にしても同様の効果が得られる。
【００１５】
また、前記第１の実施形態では、碁石の表面に突起２３が設けられている。この突起２３は、白石と黒石を区別するために設けられたものであり、突起２３に代えて、凹みを設けるようにしても良い。ただし、一般に凹みよりも突起の方が触知しやすいため、突起２３が好ましい。突起２３は、白石と黒石のいずれに設けても良い。
さらに、前記第１の実施形態では、上述のとおり、碁石２０裏面にホゾ２１ａが形成されており、盤面の縦横の筋１１が凸状の筋１１ａとなっていることから、碁石２０が碁盤の目１２、１２の間に嵌まり込んでしまうことはない。これにより、碁石２０が正確に碁盤の目１２の位置に嵌め込まれるようになり、視覚障害者にとって、盤面上の碁石２０を置くべき位置の認識が明確となっている。
【００１６】
次に、図４〜７に示す第２〜５の実施形態について説明するが、これらの説明では、碁石表面の突起２３、および、階段状またはテーパ状のホゾまたはホゾ穴についての説明は、上記図３に示す第１の実施形態と共通するので省略する。
図４、５に示す第２および第３の実施形態では、碁盤１０の縦横の筋１１が凹状の筋１１ｂであり、碁盤の目１２がホゾ穴１２ａとなっている。一方、碁石２０裏面は前記碁盤１０の凹状の筋１１ｂおよびホゾ穴１２ａに嵌め込めるように、その中心２１にホゾ２１ａが設けられてそこから十字状に凸状の筋２２ｂが設けられている。
図４に示す第２の実施形態では、碁石２０のホゾ２１ａの幅Ｗ２が盤面の縦横の凹状の筋１１ｂの幅Ｗ１よりも勝っている。これにより、碁石２０のホゾ２１ａが盤面の縦横の筋１１に嵌まり込むことがないので、碁石２０は、碁盤の目１２の位置に正確に位置決めされることになる。
【００１７】
また、図５に示す第３の実施形態では、碁石２０のホゾ２１ａの高さＨ２が盤面の縦横の凹状の筋１１ｂの深さＨ１よりも勝っている。これにより、碁石２０のホゾ２１ａが盤面の縦横の筋１１に嵌まり込むことがないので、碁石２０は、碁盤の目１２の位置に正確に位置決めされることになる。
図６に示す第４の実施形態では、碁盤１０の縦横の筋１１が凹状の筋１１ｂであり、碁盤の目１２ではホゾ１２ｂが設けられている。一方、碁石２０裏面は前記碁盤１０の凹状の筋１１ｂおよびホゾ１２ｂに嵌め込めるように、その中心２１にホゾ穴２１ｂが設けられてそこから十字状に凸状の筋２２ｂが設けられている。
【００１８】
また、図７に示す第５の実施形態では、碁盤１０の縦横の筋１１が凸状の筋１１ａであり、碁盤の目１２ではホゾ１２ｂが設けられている。一方、碁石２０裏面は前記碁盤の凸状の筋１１ａおよびホゾ１２ｂに嵌め込めるように、その中心２１にホゾ穴２１ｂが設けられてそこから十字状に凹状の筋２２ａが設けられている。
上記図６、７に示す第４および第５の実施形態では、前記図３〜５に示す第１〜３の実施形態のように、碁石のホゾによって、碁石を碁盤の目の位置に正確に位置決めすることはできない。ただ、前記第４および第５の実施形態では、碁盤の目にホゾ１２ｂが設けられているので、図８に示すように、前記ホゾ１２ｂの最近接距離Ｗ３が碁石２０の直径Ｗ４よりも短ければ、碁石２０は前記ホゾ１２ｂ、１２ｂの間で浮いた状態となるので、この場合には、碁石２０が盤面の縦横の筋１１に嵌まり込むことはない。図８は、図６に示す第４の実施形態における図であるが、図７においても同様のことが言える。
【００１９】
次に、上記第１〜第５の実施形態における碁石２０裏面の平面図を図９に示す。図９に示す十字状の筋２２は、図３、７に示す第１および第５の実施形態では凹状の筋２２ａであり、図４〜６に示す第２〜第４の実施形態では凸状の筋２２ｂである。また、図７に示す碁石２０の裏面中心２１は、図３〜５に示す第１〜第３の実施形態ではホゾ２１ａであり、図６、７に示す第４および第５の形態ではホゾ穴２１ｂである。
図９に示す碁石２０の裏面には、十字状の筋２２が２組あるが、１組だけであっても良いし、３組以上あっても良い。十字状の筋２２が複数組ある場合には、碁石２０を碁盤の目１２に嵌め込む際に、複数組ある十字状の筋２２のいずれか１組が碁盤１０の縦横の筋１１に適合すれば良いので、碁石２０を置く際に盤面の縦横の筋１１と碁石２０の向きをその都度確認する手間が省け、向きがずれていても僅かに碁石２０を回転させるだけで、適切な向きに修正することができる。例えば、前記十字状の筋２２が１組だけであれば最大９０°程度回転させる必要があるが、４５°ずらしてもう１組設ければ最大４５°程度の回転で済む。
【００２０】
次に、碁盤１０の盤面上の星について説明する。図１に示す碁盤１０において、左辺から４本目、１０本目、１６本目の３本の縦線と、下辺から４本目、１０本目、１６本目の３本の横線との９つの交点は星と呼ばれる。特に、盤面中央の星（左辺から１０本目の縦線と下辺から１０本目の横線との交点）は天元と呼ばれる。
星の位置は、特に盤面の広い１９路盤では、置かれている碁石の位置や戦況を把握するときなどに目印となるので、その位置が瞬時に判別できるようにしておくことが好ましい。本考案の好ましい実施形態では、このような星の位置の特定手段も備えている。
具体的には、まず、図１にあるように、これらの星の位置には、星を中心として放射状に凸および／または凹の筋１３が形成されている。前記放射状の筋１３は必ずしも十字状である必要はなく、例えば、図１では４本の筋による十字状が採用されているが、３本やそれ未満の本数の筋であっても良い。
【００２１】
このとき、碁石２０裏面には、前記放射状の筋１３に嵌め合わせ可能な筋が形成されている必要がある。この場合、図９に示す複数組の十字状の筋をそのまま利用することができ、対応する筋を別途新たに形成しなくてもよい。もちろん、対応する筋を別途新たに設けても構わない。
次に、図１に示す盤面には、星を通る縦横の線の延長上に、星の通る線の位置を示すための凸または凹からなる印１４が形成されている。これらの印１４により、星の位置に碁石２０が置かれている場合においても、星の位置を触知または視認することができる。
図１に示す実施形態では、前記印１４の凸または凹が星ごとに異なるものとなっている。具体的には、天元を通る線の延長上に形成された凸からなる印１４ａを、それ以外の印１４ｂよりも幅広のものとしている。図１に示す実施形態では、さらに、隣り合う星を通る線の中心線の延長上にも凸からなる印１５を設けており、この印１５の幅は、前記印１４ｂよりも幅の狭いものとしている。これらの印１５により星の位置の特定がより容易になる。
【００２２】
上記のような囲碁用具を得るために、盤面に縦横の筋や星の位置を特定する放射状の筋を設ける方法としては、例えば、対応する金型を用いて射出成型する方法や、平らな盤面に凹状の筋を彫ったり、この凹状の筋にプラスチック片などを嵌め込んで凸状の筋を設けたりする方法が採用できる。
盤面の縦横の筋や星の位置を特定する放射状の筋が、盤面の色と異なる色で着色されていれば、晴眼者にとってもその位置の認識が容易になるので好ましい。このとき、上記第１および第５の実施形態などのように碁盤１０の縦横の筋１１が凸条の筋１１ａである場合に、この凸状の筋１１ａの上に塗膜を形成する際には、塗膜の剥がれを防止するために、例えば、図１０に示すように、塗膜の周囲で前記凸状の筋１１ａを少し盛り上げることにより、塗膜の周囲を保護するようにすることが好ましい。
【００２３】
以上、１９路盤の碁盤を用いた囲碁用具を例に本考案を詳しく説明したが、本考案の範囲は、１３路盤や９路盤にも同様に適用可能である。特に、９路盤は入門者でも気軽に楽しむことができる。
【産業上の利用可能性】
【００２４】
本考案にかかる視覚障害者用囲碁用具は、視覚障害者が囲碁を行う際の困難性を解消し、また、晴眼者にとっても囲碁のイメージを損なうことなく囲碁を楽しむことができる。
【図面の簡単な説明】
【００２５】
【図１】本考案の第１〜第５の実施形態にかかる視覚障害者用囲碁用具を示す平面図である。
【図２】裏面に施される所望形状を省略した碁石の基本形状を示す断面図である。
【図３】本考案の第１の実施形態における碁石と碁盤の関係を示す拡大断面図である。
【図４】本考案の第２の実施形態における碁石と碁盤の関係を示す拡大断面図である。
【図５】本考案の第３の実施形態における碁石と碁盤の関係を示す拡大断面図である。
【図６】本考案の第４の実施形態における碁石と碁盤の関係を示す拡大断面図である。
【図７】本考案の第５の実施形態における碁石と碁盤の関係を示す拡大断面図である。
【図８】本考案の第４の実施形態における碁石と碁盤の関係を示す拡大断面図である。
【図９】本考案の第１〜５の実施形態における碁石裏面の平面図である。
【図１０】本考案の第１および第５の実施形態などに好適な盤面の凸状の筋の断面形状を示す拡大断面図である。
【符号の説明】
【００２６】
１０    碁盤
１１    盤面の縦横の筋
１２    盤面の目
１３    星から放射状に伸びる筋
１４    星の通る線を示すための印
２０    碁石
２１    碁石裏面の中心
２２    碁石裏面の十字状の筋
２３    碁石表面の突起
【図１】
0003143550.tif 000003
【図２】
0003143550.tif 000004
【図３】
0003143550.tif 000005
【図４】
0003143550.tif 000006
【図５】
0003143550.tif 000007
【図６】
0003143550.tif 000008
【図７】
0003143550.tif 000009
【図８】
0003143550.tif 000010
【図９】
0003143550.tif 000011
【図１０】
0003143550.tif 000012